(57)【要約】【課題】シート収納ケースを開封しやすく、またシートを取り出しやすくし、シート収納ケースの端面を手前に向けて使用することを可能とし、配置スペースの効率性を高めることができるようにする。【解決手段】紙製の六面体のシート収納ケース１０から、蓋上面１１Ａ、蓋端面５１Ａ、蓋側面３１Ａ，４１Ａを分離して開口部８２を形成する。シート積層体２は斜めの開口部８２から突出するようになり、シート積層体２に重ねられたシート単体３を上から順番に取り出しやすくなる。また、前方端面５１を手前に向けて使用しやすいものとなる。また蓋側面３１Ａ，４１Ａに突状の押圧分離部３１Ｄ，４１Ｄを設けることにより、蓋側面３１Ａ，４１Ａと本体側面３１Ｂ，４１Ｂを切断して分離しやすくなる。【選択図】    図２
2004182283.tif 000002
【特許請求の範囲】
【請求項１】
互いに対向する長方形の上面および長方形の底面と、前記上面の長辺と前記底面の長辺とを繋ぐ一対の長方形の側面と、前記上面と底面のそれぞれの短辺および前記一対の側面のそれぞれの短辺を繋ぐ一対の端面とを有して、六面体の箱体とされた紙製のシート収納用ケースにおいて、
前記上面には、一方の短辺と他方の短辺との中間に折り部が設けられて、前記上面は前記折り部と前記短辺との間が蓋上面とされ、前記端面は、前記蓋上面に繋がる蓋端面と前記底面に繋がる本体端面とに区分され、それぞれの側面は、前記蓋上面に繋がる蓋側面と前記蓋側面を除く本体側面とに区分されており、
前記端面には、前記蓋端面を分離するための所定幅の開封片が除去可能に設けられ、それぞれの前記側面には、前記蓋側面と前記本体側面とを区分する切り込みが間欠的に並ぶ切断線が形成されており、
前記開封片を除去し且つ前記切断線の部分で箱体を切断することにより、前記蓋上面と蓋端面および蓋側面とで形成された蓋体が形成され、この蓋体が前記折り部を介して上方へ折り曲げられたときに、前記本体端面の開口縁部と前記本体側面の開口縁部および前記折り部とで囲まれた開口部が現れることを特徴とするシート収納ケース。
【請求項２】
前記側面に形成された切断線の始端は、前記側面と前記端面との境界部側に位置し、前記切断線の終端は前記側面と前記上面との境界部側に位置し、前記切断線の一部が、前記始端よりも前記底面に向かう突状線を形成しており、前記突状線で囲まれた部分が、前記蓋側面と蓋本体との分離を開始するための押圧分離部となっている請求項１記載のシート収納ケース。
【請求項３】
前記側面に形成された切断線の始端は、前記側面と前記端面との境界部側に位置し、前記切断線の終端は前記側面と前記上面との境界部側に位置しており、切断線の前記始端から所定の範囲での前記切れ目の長さが、前記切断線の切れ目の長さの平均値よりも長く形成されている請求項１または２記載のシート収納ケース。
【請求項４】
前記蓋端面には、上面側から底面側に延びる折り癖部が設けられている請求項１ないし３のいずれかに記載のシート収納ケース。
【請求項５】
前記折り癖部は２箇所に設けられており、前記折り癖部は上面側で間隔が広く前記底面側で間隔が狭くなるように形成されている請求項４記載のシート収納ケース。
【請求項６】
請求項１ないし５のいずれかに記載のシート収納ケースと、このシート収納ケースの中に収納されたシート積層体を有し、
前記蓋体が上方へ持上げられたときに、前記シート積層体の一部が、前記開口部から突出することを特徴とするシートパッケージ。
【発明の詳細な説明】
【０００１】
【発明の属する技術分野】
本発明は、紙製、不織布あるいは樹脂フィルムまたはこれらの複合体であるシートを収納するシート収納用ケース、および前記シート収納用ケースに、シート積層体が収納されたシートパッケージに関する。
【０００２】
【従来の技術】
家庭内などで、紙、不織布、樹脂フィルムで形成されたシート、あるいはこれらが複合されたシートが清掃、食器拭き、体拭きなどの各種用途に使用されている。この種のシートは紙製のケースに収納されているが、その収納形態は、所定面積となるように予めカットされたものが折り畳まれて、この折り畳まれたシートが積層された状態で前記ケース内に収納されるもの、あるいは長尺状の１枚のシートが折り畳まれるとともに、ミシン目が形成されて、このミシン目により必要な面積ごとに切断できる状態で前記ケースに収納されているものなどがある。
【０００３】
また、予めカットされたシートが折り畳まれて積層されたものでは、折り畳まれた個々のシートが単純に重ねられ、ケースの開口部からシートが１枚ずつ独立して取り出されるもの、あるいは下に位置するシートと上に位置するシートとが関連して折り畳まれ、上側のシートがケースの開口部から取り出されると、その下に位置する次のシートの一部が持ち上げられて前記開口部から突出するいわゆるポップアップ方式の積層構造などが有り得る。
【０００４】
前記シートは、紙製のケース内に収納されており、前記ケースの一部を破り取ることにより、前記ケースに開口部が形成されるのが一般的である。また、従来のこの種のケースは六面体の箱であり、長方形の上面に前記開口部が形成され、あるいは前記上面から長方形の前側面にかけて開口部が形成されるのが通常である。これらケースは、前記上面が上向きとなるいわゆる横置きに設置して、前記シートを開口部から上向きに取り出すことを想定している。
【０００５】
また、以下の特許文献１に記載のケースでは、長方形の上面と長方形の側面にかけて開口部が形成されているが、この開口部は、箱体の長手方向に向けて台形状に形成されている。このケースは、長方形の上面および長方形の側面のそれぞれの長辺を垂直な向きとしたいわゆる縦置き設置することを想定しているものである。前記縦置き状態において、前記開口部を逆台形状の向きとすることにより、シートを水平な向きに取り出しやすくするというものである。
【０００６】
【特許文献１】
特開平１０−１６９４９号公報
【０００７】
【発明が解決しようとする課題】
前記従来の横置きを想定したシートパッケージのケースは、長方形の上面に開口部が形成され、または長方形の上面から長方形の前側面にかけて開口部が形成されており、ケース内のシートを上向きに引き出すようにしている。しかし、前記開口部の面積は、ケース内のシートの面積よりも狭いため、開口部から取り出すときにケースに与える抵抗力が大きく、シートと一緒にケースが持ち上がってしまうことが多く、特に前記のポップアップ方式のものは前記抵抗が大きくなる。
【０００８】
また、前記の横置きを想定したものは、開口部が主に長方形の上面に形成されているため、六面体の箱体のうちの最も面積の小さい端面を使用者に向けて設置すると、シートを開口部から上方へ引き出しにくくなって不便である。したがって、例えばシートパッケージを食器棚の中に設置するときは、常に長方形の前側面が前記食器棚内において前方に向けられていないとシートをうまく引き出すことができず、棚での設置の向きが限定されて、棚のスペースを有効に利用することができなくなる。またシートパッケージの長方形の前側面を棚の前方に位置させて設置しておくことが必要であるため、シートを取り出すときに、シートパッケージが棚から脱落しやすい。
【０００９】
また前記シートパッケージを引き出しの中に収納した場合には、箱体全体が露出するまで引き出しを長く引き出さないと、ケース内からシートを上に向けて取り出すことができなくなる。この場合も、前記ケースを引き出し内に配置する向きが限定されてしまう。
【００１０】
また、前記特許文献１に記載のものは、長方形の上面および側面の長辺が垂直となるような縦置き配置を前提としているものであるが、このような縦置きでは、ケースの設置が不安定である。また開口部がケース内のシートの面積よりも狭いために開口部からシートを引き出すときにケースに与える抵抗が大きい。よって縦向きに設置したケースが、シートの取り出し方向へ倒れやすくなり、実用的とはいえない。また、特許文献１に記載のケースを、その長方形の側面が手前に向くように横置きに設置して使用することもできるが、この場合もシートを取り出すときにケースに与える抵抗力が大きく、ケースがシートと一緒に持ち上がることがある。また、食器棚や引出しの中に設置したときの不便さは、前記横置きを想定した従来のケースと同様である。
【００１１】
さらに、前記紙製のケースは、上面または上面と前側面を構成している紙材に、開口部を区画するミシン目が設けられ、このミシン目で紙材を切断することにより、前記開口部が現れるようになっている。しかし、上面または前側面において、前記ミシン目の部分を切断するのは容易ではなく、例えば上面または前側面において、切断線の近傍を強く押して、切断のきっかけを作ることが必要であるが、前記近傍をよほど強く押さないと切断のきっかけを作ることが難しい。
【００１２】
本発明は上記従来の課題を解決したものであり、六面体の箱体で形成されたものにおいて、シート積層体のシートを取り出しやすくし、また面積が最も小さい端面を手前に向けた状態での使用も可能であり、さらに開封操作が容易なシートパッケージを提供することを目的としている。
【００１３】
【課題を解決するための手段】
本発明は、互いに対向する長方形の上面および長方形の底面と、前記上面の長辺と前記底面の長辺とを繋ぐ一対の長方形の側面と、前記上面と底面のそれぞれの短辺および前記一対の側面のそれぞれの短辺を繋ぐ一対の端面とを有して、六面体の箱体とされた紙製のシート収納用ケースにおいて、
前記上面には、一方の短辺と他方の短辺との中間に折り部が設けられて、前記上面は前記折り部と前記短辺との間が蓋上面とされ、前記端面は、前記蓋上面に繋がる蓋端面と前記底面に繋がる本体端面とに区分され、それぞれの側面は、前記蓋上面に繋がる蓋側面と前記蓋側面を除く本体側面とに区分されており、
前記端面には、前記蓋端面を分離するための所定幅の開封片が除去可能に設けられ、それぞれの前記側面には、前記蓋側面と前記本体側面とを区分する切り込みが間欠的に並ぶ切断線が形成されており、
前記開封片を除去し且つ前記切断線の部分で箱体を切断することにより、前記蓋上面と蓋端面および蓋側面とで形成された蓋体が形成され、この蓋体が前記折り部を介して上方へ折り曲げられたときに、前記本体端面の開口縁部と前記本体側面の開口縁部および前記折り部とで囲まれた開口部が現れることを特徴とするものである。
【００１４】
このシート収納ケースでは、六面体の箱体の上面と端面および側面の一部が一緒に蓋体となって開くことができ、蓋体が開いたときに、ケースの内部に収納されるシート積層体の一部が前記開口部から完全に露出する。したがって、ケースに大きな抵抗力を与えることなくシートをケース内から容易に引き出すことができる。
【００１５】
また、六面体の箱体の最も面積の小さい端面を手前に向けた設置状態においても、前記蓋体を上方へ持ち上げて、シートを確実に取り出すことが可能である。ケースを前記向きに設置することにより、狭い設置スペースや保管スペースにケースを設置することが可能になる。
【００１６】
さらに、端面に設けられた開封片を除去することで、端面から蓋端面を容易に分離でき、その後に側面の切断線を容易に切断できるようになって、前記蓋体を本体部から容易に分離できる。
【００１７】
また、本発明は、前記側面に形成された切断線の始端は、前記側面と前記端面との境界部側に位置し、前記切断線の終端は前記側面と前記上面との境界部側に位置し、前記切断線の一部が、前記始端よりも前記底面に向かう突状線を形成しており、前記突状線で囲まれた部分が、前記蓋側面と蓋本体との分離を開始するための押圧分離部となっている。
【００１８】
前記突状線で囲まれた押圧分離部を押圧することにより、切断線を分離でき、この分離をきっかけとして、切断線に容易に切断を進行させることができる。
【００１９】
また本発明は、前記側面に形成された切断線の始端は、前記側面と前記端面との境界部側に位置し、前記切断線の終端は前記側面と前記上面との境界部側に位置しており、切断線の前記始端から所定の範囲での前記切れ目の長さが、前記切断線の切れ目の長さの平均値よりも長く形成されているものである。
【００２０】
前記始端から所定の範囲で切れ目を長くしておくことにより、この長い切れ目の近傍において蓋側面を押圧することにより切断線を容易に分離でき、この分離部分をきっかけとして切断線に沿って切断を進行させることができる。
【００２１】
また本発明では、前記蓋端面には、上面側から底面側に延びる折り癖部が設けられている。
【００２２】
この構成では、両側面を押圧したときに蓋側面の一部が前方へ膨らむように変形する。この変形により側面の切断線で容易に分離できるようになる。
【００２３】
本発明では、前記折り癖部は２箇所に設けられており、前記折り癖部は上面側で間隔が広く前記底面側で間隔が狭くなるように形成されていることが好ましい。
【００２４】
折り癖を前記のように２箇所に形成することにより、蓋端面を変形させやすくなる。
【００２５】
また、本発明のシートパッケージは、前記いずれかに記載のシート収納ケースと、このシート収納ケースの中に収納されたシート積層体を有し、
前記蓋体が上方へ持上げられたときに、前記シート積層体の一部が、前記開口部から突出するすることを特徴とするものである。
【００２６】
シート積層体の一部が前記開口縁部から突出しているため、シートを順番に取り出すのが容易である。
【００２７】
【発明の実施の形態】
図１は本発明のシート収納ケースを用いたシートパッケージの開封前を示す斜視図、図２はシート収納ケースの展開平面図、図３は図２の部分拡大図、図４はシート収納ケースの組立工程を示す部分斜視図、図５はシート収納ケースに収納されるシート積層体の斜視図、図６ないし図８はシート収納ケースの開封動作を説明する斜視図である。
【００２８】
図１と図８に示すように、シートパッケージ１は、シート収納ケース１０と、このシート収納ケース１０に収納されたシート積層体２とを有している。
【００２９】
前記シート収納ケース１０は、厚紙で形成されている。あるいはシート収納ケース１０が、厚紙と樹脂フィルムとの積層体、あるいは厚紙と金属箔との積層体であって、例えばケースの内面に前記樹脂フィルムや前記金属箔が向けられているものであってもよい。この明細書では、これら積層体を含めて厚紙と呼び、これら各種素材で形成されたものを全て紙製のシート収納ケースと呼ぶ。この場合の厚紙の坪量は２００〜５００ｇ／ｍ２程度である。
【００３０】
また、シート積層体２を構成するシートが台所で使用される清掃用のキッチンシートあるいは揚げ物の油切りなどとして用いられるクッキングシートの場合、シート収納ケース１０の外面にはニスなどの樹脂コート膜が形成される。これにより、紙製のシート収納ケースの外面に食用油や水が付着しても、ケースの劣化を防ぐことができる。
【００３１】
図１に示すように、立体形状に組み立てられたシート収納ケース１０は、六面体の箱体である。また、図２に示す展開図に示される各部分は、厚紙により連続して一体に形成されている。
【００３２】
シート収納ケース１０の上面１１は、一対の長辺１２，１２および、前方短辺１３と後方短辺１４とで囲まれた長方形である。前記上面１１に対向する底面２１を図２の展開図で説明すると、この底面２１は、長辺２２と前記長辺２２に対向する長辺縁部２５および、前方短辺２３と後方短辺２４とで囲まれた長方形状である。この底面２１と前記上面１１は同じ大きさであり、図１に示す立体の状態で、前記上面１１と底面２１とが平行に対向している。
【００３３】
右側面３１は、前記上面１１と連続して形成されており、前記長辺１２とこの長辺１２に対向する長辺３２、および前方短辺３３と後方短辺３４とで囲まれた長方形である。左側面４１は、前記上面１１と前記底面２１との間に連続して形成されており、前記長辺１２と前記長辺２２、および前方短辺４３と後方短辺４４とで囲まれた長方形である。右側面３１と左側面４１は、同じ大きさであり、図１に示す立体の状態で、右側面３１と左側面４１は平行に対向している。
【００３４】
前記右側面３１の長辺３２から側部接合片３５が一体に延びている。厚紙で形成されたシート収納ケース１０は、図２に示す展開状態において、長辺１２，１２と長辺２２および長辺３２に沿う折り癖が予め圧痕成形により付されている。前記各長辺において厚紙が直角に折り曲げられ、前記側部接合片３５が、底面２１の内側に重ねられて長辺３２と長辺縁部２５とが一致した状態で、前記側部接合片３５と底面２１とが接着などの手段で接合される。これにより、上面１１と底面２１とが平行に対向し、右側面３１と左側面４１とが平行に対向する。
【００３５】
前記上面１１には前方短辺１３を介して前方端面５１が連続して形成されている。この前方端面５１は、前記前方短辺１３と、これに対向する下縁５４および、前記前方短辺１３および下縁５４に直交する側縁５２と５３を有する長方形あるいは正方形である。前記上面１１には、後方短辺１４を介して後方上部端面６１が連続して形成されている。また前記底面２１には、後方短辺２４を介して後方下部端面６２が一体に形成されている。前記後方上部端面６１および後方下部端面６２は、長方形または正方形である。
【００３６】
図１の立体状態では、前記後方上部端面６１と後方下部端面６２とが重ねられて、後方端面６０が形成される。この後方端面６０と前記前方端面５１は、互いに同じ形状で同じ大きさ、互いに平行に対向している。
【００３７】
前記底面２１には、前方短辺２３から連続する本体端面２６が一体に形成されている。この本体端面２６は、前記前方短辺２３に対向する開口縁部２７および、前記前方短辺２３に直交する縁部２８，２９を有している。前記開口縁部２７は、前記縁部２８と縁部２９との中点が前方短辺２３に最も近づく凹曲面形状である。
【００３８】
前記右側面３１には、前方短辺３３から連続して突出する端部接合片３６と、後方短辺３４から連続して突出する端部接合片３７が一体に形成され、前記左側面４１には、前方短辺４３から連続して突出する端部接合片４６と、後方短辺４４から連続して突出する端部接合片４７が一体に形成されている。
【００３９】
前記端部接合片３６は、切込みまたは切欠部で形成された分割部３８によって、蓋側接合片３６ａと本体側接合片３６ｂとに区分されている。同様に、前記端部接合片４６は、分割部４８によって、蓋側接合片４６ａと本体側接合片４６ｂとに区分されている。
【００４０】
図２に示す展開状態において、前記前方短辺１３，２３，３３，４３、および前記後方短辺１４，２４，３４，４４において厚紙に折り癖が圧痕成形などで付されている。前記前方短辺と後方短辺で厚紙が直角に折られて立方体形状に組み立てられる。
【００４１】
図４には前方端面での組み立て手順を示している。まず第１の工程（ｉ）において、右側面３１と左側面４１に対して端部接合片３６と端部接合片４６とがほぼ直角に折り曲げられる。
【００４２】
第２の工程（ｉｉ）では、底面２１に対して本体端面２６が直角に折り曲げられて、この本体端面２６が、本体側接合片３６ｂ，４６ｂの外面に重ねられ、本体端面２６の内面と、本体側接合片３６ｂ，４６ｂとが接着されて接合される。ここで、前記分割部３８によって分割されている本体側接合片３６ｂの上縁３６ｃと、分割部４８によって分割されている本体側接合片４６ｂの上縁４６ｃが、本体端面２６の開口縁部２７の凹曲線形状とほぼ一致する。そのため、蓋側接合片３６ａおよび４６ａは、本体端面２６の内面に接着されないようになっている。
【００４３】
第３の工程（ｉｉｉ）では、前方端面５１が上面１１に対して直角に折り曲げられて、前方端面５１が、前記本体端面２６および前記蓋側接合片３６ａ，４６ａに重ねられる。そして前方端面５１の内面と本体端面２６の外面との間が接着剤で接着されて接合され、前方端面５１の内面とそれぞれの蓋側接合片３６ａ，４６ａの外面とが接着されて接合される。
【００４４】
その結果、前方端面５１の下縁５４が、底面２１の前方短辺２３と一致し、前方端面５１の縁部５２，５３が、本体端面２６の縁部２８，２９および右側面３１と左側面４１の前方短辺３３，４３に一致する。これにより、前記前方端面５１によって、上面１１の前方短辺１３と底面２１の前方短辺２３、および右側面３１の前方短辺３３と、左側面４１の前方短辺４３とが繋がれる。
【００４５】
同様にして、端部接合片３７，４７が直角に折り曲げられ、後方下部端面６２が直角に折り曲げられて、前記端部接合片３７，４７の外面に接着される。さらに後方上部端面６１が直角に折り曲げられて、この後方上部端面６１が、前記端部接合片３７，４７の外面、および前記後方下部端面６２の外面に接着される。前記後方上部端面６１および後方下部端面６２とで形成される後方端面６０によって、上面１１の後方短辺１４と底面２１の後方短辺２４、および右側面３１の後方短辺３４と、左側面４１の後方短辺４４とが繋がれる。この状態で、前方端面５１と後方端面６０とが平行に対向して六面体の箱体が形成される。なお、この箱体の組み立て過程の途中で、前記シート収納ケース１０内に、シート積層体２が納められる。
【００４６】
前記上面１１では、前方短辺１３と後方短辺１４との中間に折り部７１が設定されている。この折り部７１は、前記各短辺１３および１４と平行に延びる線状の圧痕成形を施すことにより形成できるが、この実施の形態では、前記折り部７１において、短い直線状の切れ目７１ａが非切断部７１ｂを介して間欠的に並ぶミシン目（パーフォレーション）が形成されており、このミシン目は、前記各短辺１３および１４に対して平行に延びている。そして、前記上面１１は、折り部７１と前方短辺１３とで挟まれた部分が蓋上面１１Ａで、前記折り部７１と後方短辺１４とで挟まれた部分が本体上面１１Ｂとなっている。
【００４７】
前記前方端面５１には、一方の側縁５３から他方の側縁５２に向けて切断線７２と切断線７３が形成されている。切断線７２と７３は、切れ目が間欠的に並ぶミシン目（パーフォレーション）により形成されている。一方の切断線７２は、下縁５４に近い位置で前記下縁５４と平行に延びている。他方の切断線７３は、前記切断線７２と前方短辺１３との間に位置しているが、この切断線７３は、側縁５２と側縁５３の部分で上面１１に最も近くなり、側縁５２と側縁５３との中点において下縁５４に接近する曲線形状である。この切断線７３の曲線形状は、前方端面５１の内側に重ねられている前記本体端面２６の開口縁部２７の凹曲線形状と一致している。
【００４８】
また、前方端面５１では、前記切断線７３の途中に、下縁５４に向けて突状に形成された切込み線７４が形成されている。
【００４９】
前記前方端面５１では、前記切断線７２と切断線７３とで挟まれた部分が、帯状の開封片５５となっている。前記前方端面５１の側縁５３では、前記開封片５５の部分が少し突出する摘み部５５ａとなっている。図６に示すように、この摘み部５５ａを掴んで、側縁５２に向けて剥がすことにより、開封片５５を破り取って除去できる。
【００５０】
前記切断線７３と前方短辺１３とで囲まれた部分が、蓋上面１１Ａに繋がる蓋端面５１Ａとなっており、この蓋端面５１Ａの内面は、前記蓋側接合片３６ａ，４６ａの外面と接着されている。前記開封片５５を除去したときに、前記切込み線７４で囲まれた部分が、前記蓋端面５１Ａと一体の摘み部５６となる。前記切断線７２と下縁５４とで挟まれた下端部分５１Ｂは、前記本体端面２６の前面に接着されており、前記開封片５５が除去されたときに、この下端部分５１Ｂが本体端面２６の一部となる。
【００５１】
図３に詳しく示すように、前記右側面３１には、ミシン目（パーフォレーション）で形成された切断線７５が形成されている。この切断線７５の始端７５Ａは、前方端面５１と右側面３１との境界である前方短辺３３に位置し、または前方短辺３３の近傍まで延びている。前記始端７５Ａは、本体側接合片３６ｂの上縁３６ｃと一致している。あるいは前記始端７５Ａが、前記上縁３６ｃよりも上面１１側に位置していてもよい。ただし、この場合に、前記始端７５Ａは、前記分割部３８の内部、すなわち本体側接合片３６ｂの上縁３６ｃと蓋側接合片３６ａの下縁との間に位置していることが好ましい。
【００５２】
前記切断線７５の終端７５Ｂは、右側面３１と上面１１との境界の長辺１２に位置し、あるいは前記長辺１２の近傍まで延びている。そして、前記終端７５Ｂは、前記折り部７１と連続しまたはほぼ連続している。
【００５３】
右側面３１では、切断線７５と長辺１２と前方短辺３３（側縁５２）とで囲まれた領域が蓋側面３１Ａであり、前記蓋側面３１Ａを除いた部分、すなわち前記切断線７５と長辺１２と長辺３２および前方短辺３３（側縁５２）と後方短辺３４とで囲まれた領域が本体側面３１Ｂとなっている。
【００５４】
図３に示すように、切断線７５の始端７５Ａから底面２１と平行に延びる仮想水平線Ｌｈを想定したときに、前記切断線７５は、前記始端７５Ａから所定の範囲において、前記仮想水平線Ｌｈよりも底面２１側に接近する突状線７５Ｄを有している。そして、前記蓋側面３１Ａには、前記突状線７５Ｄに囲まれた領域を含む押圧分離部３１Ｄが形成されている。
【００５５】
前記切断線７５は、切れ目７５ａと非切断部７５ｂとが交互に配列して、前記切れ目７５ａが間欠的に配列している。ここで、前記切れ目７５ａと、前記折り部７１での切れ目７１ａは、箱体を形成する厚紙を貫通して形成されたものであってもよいし、または厚紙の厚みの途中まで切込まれたものであってもよい。これは前記切断線７２と７３においても同じである。
【００５６】
ここで、切断線７５での切れ目７５ａの長さ、および折り部７１での切れ目７１ａの長さ寸法を共にＣａとし、前記切れ目７５ａに隣接する非切断部７５ｂの長さ、および前記切れ目７１ａに隣接する非切断部７１ｂの長さ寸法を共にＣｂとする。切断線７５は、始端７５Ａから所定の範囲において、すなわち前記突状線７５Ｄの部分、言い換えると押圧分離部３１Ｄを囲む範囲において、長さ寸法Ｃａの大きい切れ目７５ａが存在し、前記押圧分離部３１Ｄを囲む範囲を除く切断線７５は、前記押圧分離部３１Ｄを囲む範囲よりも長さ寸法Ｃａの短い切れ目７５ａを主体としている。また、前記折り部７１での切れ目７１ａの長さ寸法Ｃａは、前記切断線７５での切れ目７５ａよりも短くなっている。
【００５７】
すなわち、前記切れ目の長さ寸法Ｃａの平均値は、前記押圧分離部３１Ｄを囲む部分で最も大きく、前記切断線７５での前記押圧分離部３１Ｄを除く部分で次に小さく、折り部７１において最も小さくなっている。また、切れ目と非切断部との長さの比（Ｃａ／Ｃｂ）も、前記押圧分離部３１Ｄを囲む部分で最も大きく、切断線７５での前記押圧分離部３１Ｄを囲む範囲を除く部分が次に小さく、折り部７１で最も小さくなっている。
【００５８】
これにより、シート収納ケース１０は、前記押圧分離部３１Ｄの部分での切断線７５が最も切断しやすく、押圧分離部３１Ｄを除く切断線７５が次に切断しやすく、折り部７１が最も切断されにくくなっている。
【００５９】
なお、前記蓋側面３１Ａでの押圧分離部３１Ｄには、目印３１Ｅが設けられている。この目印３１Ｅは、前記蓋側面３１Ａを形成している厚紙を、外側に向けて突状にエンボス加工することにより形成されている。
【００６０】
図２の展開図に示すように、左側面４１には、右側面３１と同様に切断線７５が形成されており、この切断線７５を境界として、蓋側面４１Ａと本体側面４１Ｂが形成されている。また蓋側面４１Ａには押圧分離部４１Ｄが形成され、さらに目印４１Ｅが形成されている。前記左側面４１での切断線７５の形状および構造は、前記右側面３１に形成された切断線７５と同じである。また押圧分離部４１Ｄと目印４１Ｅの形状および構造は、前記押圧分離部３１Ｄおよび目印３１Ｅと同じである。
【００６１】
図５および図８に示すように、前記シート収納ケース１０に収納されるシート積層体２は、互いに独立したシート単体３が折り畳まれた状態で複数枚積層されたものである。シート単体３は、展開すると長方形または正方形であり、長い折り部３ａで折られて、一方の縁部３ｂが下側に向けられ、前記折り部３ａと平行な折り部３ｃで折られて、他方の縁部３ｄが上側に向けられている。そして前記縁部３ｄは、前記折り部３ａと折り部３ｃとの中間に位置している。
【００６２】
前記シート単体３が折り畳まれた状態で積層されたシート積層体２は、前記折り部３ａで個々のシート単体３が揃えられた側面２ａと、折り部３ｃで個々のシート単体３が揃えられた側面２ｂ、および端面２ｃを有している。このシート積層体２は、前記六面体のシート収納ケース１０よりも一回り小さい六面体構造となる。そして、最上部のシート単体３が取り出されると、次に最上部に現れるシート単体３は、常に縁部３ｄがシート積層体２の側面２ａと側面２ｂとの中間に位置し、この縁部３ｄを摘んでシート単体３を引き出せるようになる。
【００６３】
前記シート単体３は、紙、不織布、樹脂フィルム、あるいはこれらいずれかの材料を組み合わせてラミネートした複合シートである。このシート単体３は、台所などで使用するキッチンシート、または台所以外で使用する清掃シート、台所において揚げ物の油切りなどに使用されるクッキングシート、またはシート単体３が樹脂フィルムで袋状に形成された食品包装袋などである。またはシート単体３がティッシュペーパーであってもよい。シート積層体２は、前記シート単体３が前記のように折り畳まれて、２０〜１００枚程度積み重ねられたものである。
【００６４】
図２に示す展開状態の厚紙を折り畳んで図１に示す立体形状のシート収納ケース１０に組み立てる過程で、シート収納ケース１０の内部に前記シート積層体２が収納される。例えば、上面１１、底面２１、右側面３１および左側面４１が互いに直角となるように折られて、側部接合片３５と底面２１とが接着されて角筒が形成された後に、前記シート積層体２が前記角筒の内部に挿入され、その後に前方端面５１と、後方上部端面６１および後方下部端面６２とで前記角筒の開口が閉じられて図１に示すように内部が密閉したシートパッケージ１が得られる。
【００６５】
このシートパッケージ１を開封する際は、まず図６に示すように、前方端面５１に設けられた開封片５５を側縁５３側から側縁５２に向けて引き剥がす。開封片５５は、切断線７２と切断線７３で挟まれているため、容易に剥がすことができる。前記開封片５５が除去されると、前方端面５１において、蓋端面５１Ａと下端部分５１Ｂとが分離され、開封片５５を除去した部分に、本体端面２６が現れる。前述のように、前記下端部分５１Ｂは本体端面２６の前面に接着されている。
【００６６】
次に、切断線７５，７５の部分で厚紙を切断することにより、右側面３１において蓋側面３１Ａと本体側面３１Ｂとを分離でき、左側面４１において蓋側面４１Ａと本体側面４１Ｂとを分離できる。ここで、前記切断線７５は突状線７５Ｄを含み、蓋側面３１Ａと４１Ａには、前記突状線７５Ｄで囲まれた部分を含む押圧分離部３１Ｄ，４１Ｄが、切断線７５の始端７５Ａから底面２１に向けて突状に形成されている。よって、図７に示すように、押圧分離部３１Ｄ，４１Ｄを指でケース内方へ押し込むと、始端７５Ａから突状線７５Ｄにかけて切断線７５を容易に分離することができる。
【００６７】
特に、この実施の形態では、前記始端７５Ａを始点とした所定範囲において、切断線７５の切れ目７５ａの長さ寸法Ｃａが、同じ切断線７５の他の部分よりも長くなっており、またこの部分では非切断部７５ｂの長さ寸法Ｃｂが短く、Ｃａ／Ｃｂの比が大きくなっている。よって、前記押圧分離部３１Ｄ，４１Ｄにおいて切断線７５を容易に切断できるようになっている。
【００６８】
すなわち、始端７５Ａに近い部分で切断線７５を容易に破れるようにするためには、始端７５Ａを起点としあるいはその近傍を起点として底面２１に向けられる突状線７５Ｄを形成すること、または前記始端７５Ａを起点としあるいはその近傍を起点として所定の範囲で前記切れ目７５ａを長くしておくことのいずれか一方を実施すればよく、本実施の形態のようにその双方を実施することがさらに好ましい。
【００６９】
また、蓋側面３１Ａの押圧分離部３１Ｄに突状の目印３１Ｅを形成し、蓋側面４１Ａの押圧分離部４１Ｄに突状の目印４１Ｅを形成しておくと、指で押圧する箇所を認識しやすくなる。また目印３１Ｅ，４１Ｅを、突状にエンボス加工しておくと、指で前記目印３１Ｅ，４１Ｅの部分に押圧力を集中させることができ、その直近に位置する突状線７５Ｄにおいて切断線７５を分離しやすくなる。
【００７０】
前記のように、押圧分離部３１Ｄと４１Ｄを指で押して、始端７５Ａ，７５Ａを含む所定範囲で、切断線７５，７５を切り離した後に、押圧分離部３１Ｄ，４１Ｄを保持したまま上に持ち上げる。
【００７１】
図４に示すように、右側面３１では切断線７５で区分される蓋側面３１Ａに連続する蓋側接合片３６ａが蓋端面５１Ａに接着され、しかも前記蓋側接合片３６ａは、本体側接合片３６ｂと分離している。同様に、左側面４１の蓋側面４１Ａに連続する蓋側接合片４６ａが蓋端面５１Ａに接着され、この蓋側接合片４６ａは本体側接合片４６ｂと分離している。よって開封片５５を除去した後に、前記押圧分離部３１Ｄ，４１Ｄを押圧して、その部分を上に持ち上げると、蓋上面１１Ａと蓋端面５１Ａおよび蓋側面３１Ａ，４１Ａが一体となって持ち上げられるようになり、この持ち上げ操作により、切断線７５，７５は終端７５Ｂ，７５Ｂまで破れるようになる。
【００７２】
その結果、右側面３１では蓋側面３１Ａと本体側面３１Ｂとを分離でき、左側面４１では蓋側面４１Ａと本体側面４１Ｂとを分離できる。
【００７３】
この時点で、シート収納ケース１０は、本体部８０と蓋体８１とに区分される。図８に示すように、前記蓋体８１は、蓋上面１１Ａと、これに繋がる蓋端面５１Ａおよび蓋側面３１Ａ，４１Ａとで形成される。また本体部８０は、本体上面１１Ｂと底面２１、本体側面３１Ｂと４１Ｂ、本体端面２６および後方端面６０とで形成される。
【００７４】
蓋体８１は、折り部７１の部分をヒンジとして回動でき、図８に示すように蓋体８１を持上げたときに、本体部８０に開口部８２が形成される。この開口部８２は、本体端面２６の上縁である凹曲線形状の開口縁部２７と、本体側面３１Ｂに形成される開口縁部８４および本体側面４１Ｂに形成される開口縁部８５と、前記折り部７１とで囲まれた範囲に形成される。
【００７５】
前記蓋体８１が本体部８０から分離された状態で、本体部８０は六面体ではなくなり、開口縁部２７と開口縁部８４および８５よりも上の部分が除去された形状となる。一方、内部に収納されているシート積層体２は図１に示す密封状態のシート収納ケース１０よりもひとまわり小さい六面体である。よって、蓋体８１が分離されると、シート積層体２の端面２ｃの一部が本体端面２６の開口縁部２７よりも上方に現れ、またシート積層体２の側面２ａと側面２ｂのそれぞれの一部が、本体側面３１Ｂの開口縁部８４および本体側面４１Ｂの開口縁部８５よりも上方へ現れる。
【００７６】
斜めに開口している開口部８２から、シート積層体２の端面２ｃおよび側面２ａ，２ｂの一部が完全に露出しているため、最上部のシート単体３を開口部８２から取り出すときにこのシート単体３からシート収納ケース１０へほとんど抵抗力が作用しない。よって片手でシート単体３を取り出す際に、ケースが不用意に動くのを防止できる。この実施の形態では、シート単体３が折り畳まれて、その縁部３ｄが、折り部３ａと３ｃとの中間、すなわちシート積層体２の側面２ａと側面２ｂとの中間に位置している。よって、シート積層体２の最上部に現れているシート単体３は、前記縁部３ｄをつまみ代として用い、この縁部３ｄを摘むことにより開口部８２から容易に引き出すことができる。また前記縁部３ｄをつまみ代としてシート単体３を取り出すことにより、ケースの底部に数少なく残ったシート単体３も確実に引き上げることができる。
【００７７】
前記開口部８２は、シート収納ケース１０の前方端面５１から右側面３１および左側面４１にかけて開口し、さらに上面１１も開口した状態になるため、シート積層体２の最上部に位置するシート単体３を底面２１と平行な向きで水平に引き出すこともできるし、または底面２１と垂直な上向きに引き出すこともできる。
【００７８】
また、このシートパッケージ１は、前方端面５１が使用者に対して手前に向くように設置した状態で、開口部８２からシート単体３を容易に取り出すことができる。よって、シートパッケージ１を台所などの壁際において前方端面５１が手前に向くように設置することができる。また棚の上に設置したときに、前方端面５１を手前に向けて設置でき、このとき底面２１の長辺２２が棚の奥側に向くようになる。この状態で、開口部８２からシート単体３を取り出すときに、前記長辺２２が棚の奥行き方向に向いているため、シートパッケージ１が棚から落下しにくい。
【００７９】
なお、シートパッケージ１は、右側面３１または左側面４１が手前に向くように設置しても、開口部８２からシート単体３を取り出すことは容易である。また前方端面５１が上を向くように縦向きに設置して使用することも可能である。
【００８０】
また、蓋体８１は、蓋上面１１Ａと蓋端面５１Ａと、蓋側面３１Ａ，４１Ａとが立体的に繋がって構成されているため、蓋体８１の剛性が高くなり歪みにくい構造となっている。したがって、蓋体８１を閉じたときに、この蓋体８１で開口部８２を確実に塞ぐことができ、埃やゴミなどがシート積層体２に付着するのを防止できる。
【００８１】
また、蓋上面１１Ａと蓋端面５１Ａと、蓋側面３１Ａ，４１Ａとで形成された蓋体８１は、比較的重量が大きいため、図８に示す開封状態において、蓋体８１を、蓋上面１１Ａが本体上面１１Ｂに重なった状態で安定させることができる。よって片手で蓋体８１を上向きに押し上げて、そのまま片手でシート単体３を取り出すときに、蓋体８１が不用意に開口部８２に向けて閉じることがない。また、蓋体８１を閉じたときも、その自重で閉鎖状態で安定しやすい。
【００８２】
なお、蓋体８１の蓋端面５１Ａの端部には、摘み部５６が突出して形成されているため、蓋体８１を上向きに持ち上げるときに、摘み部５６を掴んで蓋体８１を容易に持上げることができる。また、蓋体８１を閉じているときに、前記摘み部５６を、本体端面２６の開口縁部２７よりも内面側へ差し込むことにより、閉鎖状態の蓋体８１が不用意に上方へ移動するのを防止できる。
【００８３】
なお、この実施の形態では、上面１１の折り部７１がミシン目状に配列する切れ目７１ａを有しているため、この部分で蓋上面１１Ａと本体上面１１Ｂを分離することにより、蓋体８１を取り外すことができる。蓋体８１を取り外した状態では、シートパッケージ１を、前方端面５１を手前にして引き出しの中に配置することができる。この場合、底面２１の長辺２２を引き出しの奥側に向けて設置できるので、引き出しの収納スペースを有効利用できる。しかも引き出しを、開口部８２が現れるまで引き出せばよく、シートパッケージ１の全体が現れるまで引き出す必要がなくなる。
【００８４】
なお、前記折り部７１では切れ目７１ａの長さ寸法Ｃａが短く、Ｃａ／Ｃｂの比が小さくなっているため、開封操作において切断線７５，７５を終端７５Ｂ，７５Ｂまで進行させたときに、折り部７１まで切断が進行しにくく、不用意に蓋体８１が本体部８０から分離されるのを防止できる。
【００８５】
図２において、上面１１の長辺１２の全長寸法をＬ０とし、蓋上面１１Ａの同方向の長さ寸法をＬ１としたときに、Ｌ１／Ｌ０は、０．２５〜０．７５の範囲が好ましい。０．２５未満であると、上面での開口部８２の開口面積が狭くなり、シート単体３を取り出しにくくなる。また０．７５を超えると、蓋体８１を開閉させにくくなる。さらに好ましくは、Ｌ１／Ｌ０は、０．３〜０．７の範囲である。
【００８６】
また、前方端面５１の高さ寸法、すなわち底面２１から上面１１までの高さ寸法をＨ０とし、本体端面２６の最小高さ寸法をＨ１としたときに、Ｈ１／Ｈ０は、０．２〜０．７の範囲が好ましい。０．７以下であれば、シート単体３を最後の１枚まで確実に取り出すことができ、また０．２以上であれば、下端部分５１Ｂの高さを確保でき、本体部８０の剛性が低くならずに、本体部８０に歪みが生じるのを防止できる。また本体部８０の剛性を維持するためには、前記Ｈ１は３０ｍｍ以上であることが好ましい。
【００８７】
図９は本発明の第２の実施の形態のシート収納ケース１０の展開図である。
このシート収納ケース１０Ａでは、前方端面５１の蓋端面５１Ａにおいて、上面１１から底面２１に向けて延びる一対の折り癖部９１，９１が設けられている。この折り癖部９１，９１は、上面１１側で互いの間隔が広く、底面２１に向うにしたがって対向間隔が狭くなるように斜めに形成されている。さらに好ましくは、各折り癖部９１，９１の上端は、前方短辺１３と長辺１２，１２との交叉部まで延び、あるいはその近傍まで延び、折り癖部９１，９１の下端は、前記摘み部５６の両側部あるいはその近傍まで延びている。
【００８８】
前記折り癖部９１，９１は、前方端面５１を形成している厚紙に圧痕成型を施すことにより形成され、この折り癖部９１，９１は、ケースの外方へ膨出するような折りが発生しやすいように、ケース内側から外側へ向けて加圧されて形成されている。
【００８９】
なお、この実施の形態は、前記折り癖部９１，９１以外の形状および構成は、前記図１以下に示した実施の形態と全く同じである。
【００９０】
この実施の形態では、図１０に示すように、開封片５５を除去した後に、押圧分離部３１Ｄ，４１Ｄに対して指でケース内方へ向く押圧力Ｆ１，Ｆ１を与えると、この押圧力Ｆ１，Ｆ１によって右側面３１と左側面４１とが互いに接近しようとする。このとき、蓋端面５１Ａでは、前記折り癖部９１，９１がＦ２，Ｆ２へ突出する向きに折れ曲がろうとし、折り癖部９１，９１で挟まれた部分が力Ｆ３を受けてケースの外方に向けて変形しようとする。
【００９１】
ここで、前記蓋端面５１Ａは、蓋側接合片３６ａ，４６ａとの接着により蓋側面３１Ａ，４１Ａと一体となっているが、蓋端面５１Ａは、本体側接合片３６ｂ，４６ｂとは分離されている。そのため、蓋端面５１Ａの前記変形により、右側面３１の蓋側面３１Ａと、左側面４１の蓋側面４１Ａが互いに接近しようとするが、蓋端面５１Ａの変形は、本体側面３１Ｂと４１Ｂに直接の影響を与えない。したがって、押圧変形部３１Ｄ，４１Ｄに前記押圧力Ｆ１，Ｆ１が与えられると、蓋端面５１Ａが変形して蓋側面３１Ａと４１Ａとがケース内に入り込もうとするが、この力は本体側面３１Ｂ，４１Ｂには大きく作用せず、よって、蓋側面３１Ａと本体側面３１Ｂとの間、および蓋側面４１Ａと本体側面４１Ｂとの間に剪断力が作用し、この部分で切断線７５，７５を簡単に切断できるようになる。
【００９２】
押圧分離部３１Ｄ，４１Ｄにおいて切断線７５，７５を容易に切断できるため、蓋体８１を本体部８０から容易に分離できるようになる。
【００９３】
なお、前記実施の形態では、前記本体端面２６の上縁の開口縁部２７が凹曲線形状であるが、この開口縁部は、水平線や直線状の斜め線であってもよい。なお、この場合も、切断線７３の形状が、前記開口縁部２７の形状に一致していることが好ましい。
【００９４】
また、シート積層体２は、連続する帯状のシートが折り畳まれて、このシートがミシン目を介して所定面積のシート単体に分離できるものであってもよい。
【００９５】
【発明の効果】
以上のように本発明では、六面体のシート収納ケースにおいて面積の小さい端面から上面にかけて開口部が形成されるため、開口部からシート積層体が突出するようになり、開口部からシートを取り出しやすくなる。さらに、開封片を除去し、側面の切断線を切ることにより、蓋体と本体部とを容易に分離できるようになる。また、端面を手前に向けた設置状態でシートを取り出すことができ、シートパッケージの配置スペースの有効利用ができる。また蓋体は、蓋上面と蓋端面および蓋側面を有する立体形状になるため、蓋体は形状を維持した状態で開閉できるようになる。
【図面の簡単な説明】
【図１】本発明のシート収納ケースおよびシートパッケージを示す斜視図
【図２】前記シート収納ケースの展開図、
【図３】図２に示す展開図の部分拡大図、
【図４】前記シート収納ケースの前方端面の組立工程を示す部分斜視図、
【図５】シート積層体の部分斜視図、
【図６】開封片を除去する工程を示すシート収納ケースの部分斜視図、
【図７】押圧分離部を押圧して切断線を切る工程を示すシート収納ケースの部分斜視図、
【図８】シートパッケージが開封された状態を示す斜視図、
【図９】本発明の他の実施の形態でのシート収納ケースの展開図、
【図１０】前記他の実施の形態でのシート収納ケースの開封操作を示す斜視図、
【符号の説明】
１  シートパッケージ
２  シート積層体
３  シート単体
３ｄ  縁部
１０  シート収納ケース
１１  上面
１１Ａ  蓋上面
１１Ｂ  本体上面
１２  長辺
１３  前方短辺
１４  後方短辺
２１  底面
２２  長辺
２３  前方短辺
２４  後方短辺
２６  本体端面
２７  開口縁部
３１  右側面
３１Ａ  蓋側面
３１Ｂ  本体側面
３１Ｄ  押圧押圧部
４１  左側面
４１Ａ  蓋側面
４１Ｂ  本体側面
４１Ｄ  押圧分離部
５１  前方端面
５１Ａ  蓋端面
５５  開封片
７１  折り部
７２，７３，７５  切断線
７５Ｄ  突状線
８０  本体部
８１  蓋体
８２  開口部
【図１】
2004182283.tif 000003
【図２】
2004182283.tif 000004
【図３】
2004182283.tif 000005
【図４】
2004182283.tif 000006
【図５】
2004182283.tif 000007
【図６】
2004182283.tif 000008
【図７】
2004182283.tif 000009
【図８】
2004182283.tif 000010
【図９】
2004182283.tif 000011
【図１０】
2004182283.tif 000012